(57)【要約】【課題】明度の高い特色を含む複数色の色材によってカラー画像を形成する際に、該特色の色相の低明度域においては、色域の拡大が十分にできない。【解決手段】カラー画像データを色分解して各色に対応する色データを生成する際に、特色の色相における明度域を、高明度域（５０１〜５０２）、中間明度域（５０２〜５０４）、低明度域（５０４〜５０５）、黒近傍域（５０５〜５０６）に分割する。そして、高明度域については特色に対応する色データを生成し、中間明度域については、特色と、該特色に近い色相を有する２つの基本色に対応する色データを生成する。さらに、低明度域については、特色と、該特色に近い色相を有する２つの基本色と、黒色に対応する色データを生成し、黒近傍域については、特色と黒色に対応する色データを生成する。【選択図】  図３
2008172628.tif 000002
【特許請求の範囲】
【請求項１】
基本色と黒色、および少なくとも１つの特色を含む複数色の色材を用いてカラー画像を形成する画像形成装置であって、
形成対象となるカラー画像データを入力する入力手段と、
前記カラー画像データを、前記複数色に分解して各色に対応する色データを生成する色分解手段と、
前記色データに基づいてカラー画像を形成する画像形成手段と、を有し、
前記色分解手段は、前記特色の色相における明度域を、高明度域、中間明度域、低明度域、黒近傍域に分割し、
前記高明度域については、前記特色に対応する色データを生成し、
前記中間明度域については、前記特色と、前記特色に近い色相を有する２つの前記基本色に対応する色データを生成し、
前記低明度域については、前記特色と、前記特色に近い色相を有する２つの前記基本色と、前記黒色に対応する色データを生成し、
前記黒近傍域については、前記特色と、前記黒色に対応する色データを生成する
ことを特徴とする画像形成装置。
【請求項２】
前記色分解手段は、
最高明度から前記特色の色材が再現可能な最高彩度に対応する明度までの明度域を、前記高明度域として設定し、
前記高明度域において、明度の低下につれて前記特色の色材の使用量が増加するように、色データを生成することを特徴とする請求項１に記載の画像形成装置。
【請求項３】
前記色分解手段は、
前記高明度域の下限明度から、前記２つの基本色の混色により最高彩度が得られる明度までの明度域を、前記中間明度域として設定し、
前記中間明度域において、
前記色材の総使用量の制限に達するまでは、前記特色の色材の使用量を最大として明度の低下につれて前記２つの基本色の色材の使用量が増加するように、色データを生成し、
前記色材の総使用量が前記制限に達した後は、明度の低下につれて前記特色の色材の使用量が減少し、前記２つの基本色の色材の使用量が増加するように、色データを生成する
ことを特徴とする請求項１または２に記載の画像形成装置。
【請求項４】
前記色分解手段は、
前記中間明度域の下限明度から、前記特色と前記黒色の混色により最高彩度が得られる明度までの明度域を、前記低明度域として設定し、
前記低明度域において、明度の低下につれて前記２つの基本色の色材の使用量が減少し、前記特色および前記黒色の色材の使用量が増加するように、色データを生成する
ことを特徴とする請求項１乃至３のいずれか１項に記載の画像形成装置。
【請求項５】
前記色分解手段は、
前記低明度域の下限明度から最低明度までの明度域を、前記黒近傍域として設定し、
前記黒近傍域において、明度の低下につれて前記特色の色材の使用量が減少し、前記黒色の色材の使用量が増加するように、色データを生成する
ことを特徴とする請求項１乃至４のいずれか１項に記載の画像形成装置。
【請求項６】
前記特色の色材は、前記基本色のうちの２つの混色で表現される前記特色の色相に近い色相の２次色よりも、高い明度を表現することを特徴とする請求項１乃至５のいずれか１項に記載の画像形成装置。
【請求項７】
前記特色の色材は、前記基本色のうちの前記特色に近い色相をもつ２つの色材よりも、分光反射率の副吸収成分が小さいことを特徴とする請求項１乃至６のいずれか１項に記載の画像形成装置。
【請求項８】
前記特色の色材と前記黒色の色材による第１の混色を、前記基本色のうち前記特色に近い色相を持つ２つの色材と前記黒色の色材による第２の混色と同色相、同明度に調色した場合に、前記第１の混色による画像は、前記第２の混色による画像に比べて分光反射率の副吸収成分が小さいことを特徴とする請求項１乃至７のいずれか１項に記載の画像形成装置。
【請求項９】
前記特色は、レッド、グリーン、ブルーのいずれかであることを特徴とする請求項１乃至８のいずれか１項に記載の画像形成装置。
【請求項１０】
前記基本色は、シアン、マゼンタ、イエローを含むことを特徴とする請求項９記載の画像形成装置。
【請求項１１】
前記黒色は、前記特色の補色となる色であることを特徴とする請求項１乃至１０のいずれか１項に記載の画像形成装置。
【請求項１２】
基本色と黒色、および少なくとも１つの特色を含む複数色の色材を用いてカラー画像を形成する画像形成装置の制御方法であって、
入力手段が、形成対象となるカラー画像データを入力する入力ステップと、
色分解手段が、前記カラー画像データを、前記複数色に分解して各色に対応する色データを生成する色分解ステップと、
画像形成手段が、前記色データに基づいてカラー画像を形成する画像形成ステップと、を有し、
前記色分解ステップでは、前記特色の色相における明度域を、高明度域、中間明度域、低明度域、黒近傍域に分割し、
前記高明度域については、前記特色に対応する色データを生成し、
前記中間明度域については、前記特色と、前記特色に近い色相を有する２つの前記基本色に対応する色データを生成し、
前記低明度域については、前記特色と、前記特色に近い色相を有する２つの前記基本色と、前記黒色に対応する色データを生成し、
前記黒近傍域については、前記特色と、前記黒色に対応する色データを生成する
ことを特徴とする画像形成装置の制御方法。
【請求項１３】
画像形成装置内のコンピュータ上で動作することにより、請求項１乃至１１のいずれか１項に記載の画像形成装置を実現することを特徴とするコンピュータプログラム。
【請求項１４】
請求項１３記載のコンピュータプログラムを記録したことを特徴とするコンピュータ可読の記録媒体。
【発明の詳細な説明】
【技術分野】
【０００１】
本発明は画像形成装置およびその制御方法に関し、特に、特色を含む複数色の色材による画像形成を行う画像形成装置およびその制御方法に関する。
【背景技術】
【０００２】
記録装置で用いられる記録剤が例えばシアン（Ｃ），マゼンタ（Ｍ），イエロー（Ｙ），ブラック（Ｋ）のインクやトナーである場合、印刷データを生成するための画像処理において、ＲＧＢ画像データを各記録剤に対応するＣ，Ｍ，Ｙ，Ｋデータに色分解する。この色分解は、通常、ルックアップテーブル（ＬＵＴ）を用いて行われる。つまり、このＬＵＴは、Ｒ，Ｇ，Ｂデータの組み合わせに対して、どのように記録剤を組み合わせるかを示すＣ，Ｍ，Ｙ，Ｋデータの生成方法を定義する。
【０００３】
さらに、インクやトナーを用いる記録装置における印刷技術として、記録装置が再現可能な色域を拡大すること、例えばより高い彩度の再現を目的として、「特色」を用いる場合がある。すなわち、通常用いるＣ，Ｍ，Ｙ（所謂基本色）とＫに加え、特色として、レッド、オレンジ、グリーン、ブルー、バイオレットなどの記録剤を用いる場合がある。
【０００４】
このような特色を用いた印刷技術として、例えば、色域をＫ色および有彩色３色の組み合わせによるサブ色域に分割し、各サブ色域から色の組み合わせを抽出することで色分解する技術が提案されている（例えば、特許文献１参照）。
【０００５】
また、特色の色相において特色を用いると、ある明度領域において基本色の組み合わせよりも彩度が下がる場合に、特色と基本色の双方を用いて色分解を行う技術が提案されている（例えば、特許文献２参照）。具体的には、例えば高明度のグリーンインクを使用する場合、グリーンの色相の低明度部ではシアンとイエローの組み合わせを用いて色域を拡大する。
【０００６】
このような従来の印刷技術にあっては、いずれも特色と他の色材を適切に組み合わせた色分解を行うことによって、高明度、高彩度域の色域を拡大することができた。
【特許文献１】特開2001-136401号公報
【特許文献２】特開2003-011432号公報
【発明の開示】
【発明が解決しようとする課題】
【０００７】
しかしながら、特許文献１に記載の技術においては、４色の組み合わせのサブ色域から色の組み合わせを抽出するため、組み合わせが４色以下かつサブ色域の作成時に規定した組み合わせに限定されてしまう。したがって、全色域について最適な色分解を得ることは不可能であるという問題があった。
【０００８】
また、特許文献２に記載の技術においては、特に高明度の特色の色材を使用する場合に、低明度域や黒近傍域において色域を十分に拡大することができないという問題があった。
【０００９】
本発明は、上述した問題を解決するためになされたものであり、以下の機能を有する
画像形成装置およびその制御方法を提供することを目的とする。すなわち、基本色と黒色、および少なくとも１つの特色とを含む複数色の色材を用いてカラー画像を形成する画像形成装置において、特色の色相の全色域について最適な色分解を行うことにより、再現可能な色域を低明度域においても十分に拡大する。
【課題を解決するための手段】
【００１０】
上記目的を達成するための一手段として、本発明は以下の構成を備える。
【００１１】
すなわち、基本色と黒色、および少なくとも１つの特色を含む複数色の色材を用いてカラー画像を形成する画像形成装置であって、形成対象となるカラー画像データを入力する入力手段と、前記カラー画像データを、前記複数色に分解して各色に対応する色データを生成する色分解手段と、前記色データに基づいてカラー画像を形成する画像形成手段と、を有し、前記色分解手段は、前記特色の色相における明度域を、高明度域、中間明度域、低明度域、黒近傍域に分割し、前記高明度域については、前記特色に対応する色データを生成し、前記中間明度域については、前記特色と、前記特色に近い色相を有する２つの前記基本色に対応する色データを生成し、前記低明度域については、前記特色と、前記特色に近い色相を有する２つの前記基本色と、前記黒色に対応する色データを生成し、前記黒近傍域については、前記特色と、前記黒色に対応する色データを生成する、ことを特徴とする。
【発明の効果】
【００１２】
本発明によれば、基本色と黒色、および少なくとも１つの特色とを含む複数色の色材を用いてカラー画像を形成する画像形成装置において、特色の色相の全色域について最適な色分解を行うことにより、再現可能な色域が低明度域においても十分に拡大される。
【発明を実施するための最良の形態】
【００１３】
以下、添付の図面を参照して、本発明をその好適な実施形態に基づいて詳細に説明する。なお、以下の実施形態において示す構成は一例に過ぎず、本発明は図示された構成に限定されるものではない。
【００１４】
＜第１実施形態＞
●プリントシステムの概要
図１は、本実施形態が適用されるプリントシステムの構成例を示すブロック図であり、本システムは、特色インクを用いるプリンタ１０２と、ホスト装置（コンピュータまたは画像処理装置）１０１を備える。プリンタ１０２では、シアン（Ｃ），マゼンタ（Ｍ），イエロー（Ｙ），ブラック（Ｋ）のインクと、レッド（Ｒ），グリーン（Ｇ），ブルー（Ｂ）の特色インクの、計７色のインクによる印刷を行う。そのために、これら７色のインクを吐出する記録ヘッド１０を備える。
【００１５】
まず、ホスト装置１０１における処理について説明する。ホスト装置１０１のオペレーティングシステム（ＯＳ）上では、アプリケーションプログラム１やプリンタドライバ１１が稼働し、アプリケーションプログラム１は、プリンタ１０２で印刷すべき画像データの作成、編集を行う。
【００１６】
ホスト装置１０１には、種々の媒体を介して画像データを入力することが可能である。例えば、デジタルカメラで撮像したＪＰＥＧ形式の画像データをメモリカードを介して入力してもよいし、スキャナで読み取ったＴＩＦＦ形式の画像データや、ＣＤ−ＲＯＭに記録された画像データを入力してもよい。もちろん、インターネット等のネットワーク上に配置されたサーバやＷｅｂサイトからダウンロードした画像データを入力することも可能である。
【００１７】
ホスト装置１０１は、入力した画像データを不図示のモニタに表示し、ホスト装置１０１のユーザはこのモニタ表示を参照しつつ、アプリケーションプログラム１によって画像データの編集、加工を行い、印刷を指示する。この印刷指示に応じて、アプリケーションプログラム１（またはＯＳ）は、画像データを例えばｓＲＧＢ規格の画像データ（各色８ビット）に変換して、プリンタドライバ１１に渡す。
【００１８】
プリンタドライバ１１では、まずカラーマッチング部２において、入力された画像データに対して色域マッピング処理を施す。すなわち、ｓＲＧＢ規格の画像データによって再現される色域と、プリンタ１０２が再現可能な色域（プリンタ色域）の関係を示す３次元ＬＵＴ（３ＤＬＵＴ）および補間演算により、ｓＲＧＢデータをプリンタ色域のＲＧＢデータに変換する。
【００１９】
次に色分解部３において、色域マッピングされたＲＧＢデータが表す色を再現するような、インクの組み合わせに対応する色分解データ（ＣＭＹＫＲＧＢ各色８ビット）を求める。この色分解処理は、上述した色域マッピング処理と同様に、３ＤＬＵＴと補間演算を併用して行う。なお、色分解処理の詳細については後述する。
【００２０】
次にガンマ補正部４においては、色分解部３で得られた色分解データの各色ごとに、その階調値を変換するガンマ補正を行う。具体的には、プリンタ１０２で使用される各色インクの階調特性に応じた１次元ＬＵＴ（１ＤＬＵＴ）を用いて、色分解データをプリンタ１０２の階調特性に対応付けるような変換を行う。
【００２１】
ハーフトーニング部５では、各色８ビットの色分解データＣＭＹＫＲＧＢのそれぞれを、誤差拡散法を用いて４ビット値に変換する、いわゆる量子化を行う。この４ビットデータは、プリンタ１０２においてドット配置パターンを示すためのインデックスとして参照される。
【００２２】
そして印刷データ生成部６において、４ビットのインデックスデータに対して印刷制御情報を加えた印刷データを作成する。
【００２３】
なお、上述したアプリケーションプログラム１およびプリンタドライバ１１における処理は、それらのプログラムを不図示のＣＰＵが実行することにより実現される。当該プログラムは、不図示のＲＯＭやハードディスク等からＲＡＭにロードされることによって実行される。その実行に際してＲＡＭは、ＣＰＵのワークエリアとして用いられる。
【００２４】
次に、プリンタ１０２における処理について説明する。プリンタ１０２は、ホスト装置１０１から入力される印刷データに対して、ドット配置パターン化処理およびマスクデータ変換処理を施す。
【００２５】
まずドット配置パターン化部７において、実際の印刷画像の画素ごとに、４ビットのインデックスデータ（階調値情報）に対応するドット配置パターンに従ってドットを配置する。つまり、４ビットデータで表現される各画素に対し、その画素の階調値に対応するドット配置パターンを割り当て、画素内の複数エリアについてそれぞれのドットのオンオフを定義して、各エリアごとに「１」または「０」の吐出データを配置する。
【００２６】
マスクデータ変換部８においては、上記１ビットの吐出データにマスク処理を施す。すなわち、記録ヘッド１０による副走査方向に所定幅の走査領域（以下「バンド」と呼ぶ）の記録を、複数回の走査で完成するための各走査の吐出データを、それぞれの走査に対応したマスクを用いた処理によって生成する。
【００２７】
マスクデータ変換部８で生成された走査ごとの吐出データＣ，Ｍ，Ｙ，Ｋ，Ｒ，Ｇ，Ｂは、適切なタイミングでヘッド駆動回路９に送られる。ヘッド駆動回路９は、吐出データに従って各インクを吐出するように、記録ヘッド１０を駆動する。
【００２８】
なお、プリンタ１０２における、上述したドット配置パターン化処理およびマスクデータ変換処理は、専用のハードウェア回路によって、プリンタ１０２の制御部を構成するＣＰＵの制御の下に実行される。なお、プリンタ１０２のＣＰＵが、プログラムに従って上記処理を行っても良いし、ホスト装置１０１の例えばプリンタドライバ１１が上記処理を行っても良い。また、本実施形態において図２に示したホスト装置１０１はコンピュータに限られず、例えばプリンタ１０２においてホスト装置１０１の各処理を実行するように構成することも可能である。
【００２９】
なお、プリンタ１０２で用いられるＲ，Ｇ，Ｂの特色インクは、基本色インクであるＣ，Ｍ，Ｙのうちの２色の混色として作成される２次色よりも、高い彩度および明度を表現できることが好ましいが、少なくとも２次色よりも高明度を表現できればよい。すなわち、本実施形態に好適な「特色」は、基本色であるＣ，Ｍ，Ｙの記録剤のうちの任意の２つの組み合わせによって記録媒体上に表現される色域よりも、明度が高く、かつ前記色域内の色相角を示す色である。さらに、前記色域よりも高い彩度を表現できる色であればなお好ましい。例えば、特色であるＧの記録剤が記録媒体上で表現可能な明度、彩度は、その隣接色である基本色Ｃ，Ｙの記録剤の組み合わせによって記録媒体上に表現可能な明度、彩度よりも高いことが好ましい。なお、「隣接色」とは、注目する色相の両側で、最も近い色相をもつ色材の色である。ただし、濃シアンに対する淡シアンのように、同一の色相とみなせるものは隣接色には含めない。
【００３０】
また、本実施形態ではプリンタ１０２における記録剤としてインクを用いる例を示すが、トナーなど他の記録剤を用いるプリンタや複写機等に対しても、本実施形態は同様に例適用可能である。
【００３１】
なお、本実施形態において「画素」とは、階調表現が可能な最小単位を示し、多値データの画像処理や、上述したカラーマッチング処理、色分解処理、ガンマ補正、ハーフトーニングなどの処理対象となる最小単位である。また、ドット配置パターン化部７における１画素は２×４マスのパターンに対応し、この１画素内の各マスをエリアと呼ぶ。そして該エリアはすなわち、ドットのオンオフが定義可能な最小単位である。これに関連して、カラーマッチング処理、色分解処理、ガンマ補正における「画像データ」とは、処理対象である画素の集合を表し、各画素は例えば８ビットの階調値を有するデータである。また、ハーフトーニング処理における「画素データ」は、処理対象である画素データそのものを表し、ハーフトーニングによって、上記８ビットの画素データは、４ビットの階調値を有する画素データ（インデックスデータ）に変換される。
【００３２】
●色分解処理
以下、ホスト装置１０１内のプリンタドライバ１１において、色分解部３で実行される色分解処理について詳細に説明する。
【００３３】
図２は、色分解部３において参照される３ＤＬＵＴの概念を示す図であり、ＲＧＢ空間をスライスするように構成されている。色分解部３では、図２に示すような３ＤＬＵＴにおける、入力ＲＧＢ値に対する格子点のＣＭＹＫＲＧＢデータを読み出し、補間処理を行うことによって、入力ＲＧＢデータをＣＭＹＫＲＧＢの色分解データに変換する。言い換えれば、図２は、ＲＧＢデータをＣＭＹＫＲＧＢデータに色変換するための３ＤＬＵＴの一部を示している。
【００３４】
ここで図３に、本実施形態における色分解例として、Ｇ色相における、Ｇ，Ｃ，Ｙ，Ｋの各記録剤の使用量を示す。同図の縦軸は、記録剤の使用量（例えばインク打ち込み量）に相当する８ビットの信号レベルを示す。図３において、５０１はＧ色相における最高明度である白色（Ｗ）点、５０２はＧの色材が再現可能な最高彩度を実現する点、５０３は色材の総使用量が制限に達した点、を示す。また、５０４は、Ｃ，Ｙの色材使用量がピークに達し、Ｋの色材の使用が開始される点、５０５はＣ，Ｙの色材使用量が無くなり、ＧとＫの混色の彩度が最高となる点、５０６は最低明度である黒色（Ｋ）点である。
【００３５】
以下、図３に示す５０１〜５０２を高明度域、５０２〜５０３を第１の中間明度域、５０３〜５０４を第２の中間明度域、５０４〜５０５を低明度域、５０５〜５０６を黒近傍域、とする。
【００３６】
本実施形態では、図２に示す３ＤＬＵＴの各格子点に、図３に示す特性を実現する色分解データを格納することによって、所望する階調値ないし色域を実現することを特徴とする。以下、図２に示す３ＤＬＵＴにおいて、図３と同様にＧ色相に注目して、具体的な格子点データの例を説明する。
【００３７】
まず、図２に示す白色の格子点Ｗ（Ｒ，Ｇ，Ｂ）＝（２５５，２５５，２５５）からグリーンの格子点Ｇ（Ｒ，Ｇ，Ｂ）＝（０，２５５，０）に向かう線分上の格子点に、ＣＭＹＫＲＧＢ＝（０，０，０，０，０，ｇ，０）のデータを配置する。、なお、０≦ｇ≦２５５である。これらのデータが図３に示す高明度域（５０１〜５０２）に相当する。
【００３８】
また、格子点Ｇ（Ｒ，Ｇ，Ｂ）＝（０，２５５，０）からＫ（Ｒ，Ｇ，Ｂ）＝（０，０，０）に向かう線分上の格子点に、まず、Ｇ，Ｃ，Ｙの混色を表現するＣＭＹＫＲＧＢ＝（ｃ，０，ｙ，０，０，２５５，０）のデータを配置する。なお、０≦ｃ＜２５５、０≦ｙ＜２５５である。これらのデータが図３に示す第１の中間明度域（５０２〜５０３）に相当する。
【００３９】
ここで、図３に５０４で示す、Ｃ，Ｙの混色が色域上最も有利となる明度における色分解データを、ＣＭＹＫＲＧＢ＝（ｃ'，０，ｙ'，０，０，ｇ'，０）、０＜ｃ'＜２５５、０＜ｙ'＜２５５、０＜ｇ'＜２５５とする。そして、図３に示す第２の中間明度域（５０３〜５０４）に相当する各格子点には、ＣＭＹＫＲＧＢ＝（ｃ，０，ｙ，０，０，ｇ，０）、０≦ｃ≦ｃ'、０≦ｙ≦ｙ'、ｇ'＜ｇ＜２５５のデータを配置する。
【００４０】
また、図３に示す低明度域（５０４〜５０５）に相当する各格子点には、ＣＭＹＫＲＧＢ＝（ｃ，０，ｙ，ｋ，０，ｇ，０）、０≦ｃ≦ｃ'、０≦ｙ≦ｙ'、０≦ｋ＜２５５、ｇ'≦ｇ＜２５５のデータを配置する。
【００４１】
最後に、図３に示す黒近傍域（５０５〜５０６）に相当する各格子点には、ＣＭＹＫＲＧＢ＝（０，０，０，ｋ，０，ｇ，０）、０≦ｋ＜２５５、０≦ｇ＜２５５のデータを配置する。
【００４２】
Ｇ色相以外のＣ，Ｍ，Ｙ，Ｒ，Ｂの各色相についても、上述したＧ色相と同様に各格子点にデータを配置する。また、Ｃ，Ｍ，Ｙ，Ｒ，Ｇ，Ｂ以外の、図２では単純に示せない色相についても、同様にデータを配置することができる。
【００４３】
すなわち、図２に示す３ＤＬＵＴが示す変換関係は、色分解部３における色分解データの生成処理の内容を表すことになる。しかしながら本実施形態における色分解データの生成は、３ＤＬＵＴを用いる形態には限定されない。例えば、入力ＲＧＢデータに対して、上述した変換関係を表す式に従う演算をその都度行い、色分解データを算出する形態であってもよい。
【００４４】
●特色による色域拡大
本実施形態においては、特色を利用することによって色域を拡大することが可能である。以下、特色であるグリーン（Ｇ）の記録剤を例として、３ＤＬＵＴの格子点に、Ｇの記録剤に対応する色分解データを設定して色域を拡大する方法について、詳細に説明する。
【００４５】
図４は、本実施形態で用いられるＧとＣ，ＹおよびＫの単色画像の分光反射率特性を示す図である。ここで用いられる、特色であるＧの記録剤は、高明度域において高彩度を表現することを重視して調製されている。すなわち、Ｇの記録剤の分光反射率は、図４に示すようにＧの波長域で高いピークを示しつつ広いピーク幅を持ち、副吸収成分は極めて小さい。ここで副吸収成分とは、分光反射率のピークの外側、この場合はレッド（Ｒ）やブルー（Ｂ）の波長域における反射成分のことを言う。
【００４６】
また、基本色であるＣ，Ｙの記録剤は、混色時の階調性を重視して調製されている。すなわち図４に示すように、特色であるＧの記録剤と比較して副吸収成分が大きい。またＫの記録剤は、全波長域について均等に、極めて低い反射率を持つ。
【００４７】
図５は、人間の視覚特性を表す等色関数を示す図である。各画像の分光反射率に、図５に示すｒ，ｇ，ｂの各等色関数を積算したものが、人間に知覚されるＲ，Ｇ，Ｂ各色の刺激値（３刺激値）となる。Ｒ，Ｇ，Ｂ各色の３刺激値の合計が大きければ明度が高く、合計が小さければ明度は低くなる。また、３刺激値の比率は画像の色相を決定し、３刺激値のうち１つか２つに偏っているほど（すなわち、３刺激値のうち１つあるいは２つの占める比率が低いほど）、画像の彩度が高くなると考えてよい。
【００４８】
図６は、中間明度域における、Ｇ，Ｋの混色画像およびＣ，Ｙの混色画像の分光反射率特性を示す図である。高明度域において彩度が高くなるよう調製されている特色Ｇのインクはピーク幅の広い分光特性を持っているため、図６に示すようにＣ，Ｙの混色で形成した画像では、図４に示すＧの単色画像と比較してシャープな分光特性が得られる。一方、階調性を重視して調製された基本色であるＣ，Ｙの混色画像は、Ｒ，Ｂの波長域における副吸収が、特色であるＧ単色時よりも大きくなる。
【００４９】
Ｇの記録剤にＫを混色してＣ，Ｙの混色画像と同じ明度に調整した場合、ピーク幅の広いＧ，Ｋの混色画像は、Ｒ，Ｂの刺激値がＣ，Ｙ混色画像に比べて大きくなる。すなわち、同じ明度でＲ，Ｂの刺激値が大きくなることから、中間明度域においてＧ，Ｋ混色画像は、Ｃ，Ｙ混色画像に比べて彩度が低下する。
【００５０】
図６に示すＣ，Ｙ混色画像のようにシャープな分光特性を得ることは彩度の向上要因である一方、副吸収が大きいことはやはりＲ，Ｂの刺激値を増大させ、彩度の低下要因となる。
【００５１】
図７は、黒近傍域における、Ｇ，Ｋの混色画像およびＣ，Ｙ，Ｋの混色画像の分光反射率特性を示す図である。図６に示した中間明度域においては、Ｇ波長域の反射光量が大きいため、分光特性がシャープであることによる彩度向上作用が、副吸収による彩度低下作用よりも強く、Ｃ，Ｙの混色を用いることによってＧ単色よりも高い彩度を得ることができる。しかしながら図７に示すような黒近傍域においては、Ｇ波長域における反射光量が減少し、ピーク形状による彩度の差が小さくなる。したがって、副吸収による彩度低下作用の割合が相対的に増大するため、Ｃ，Ｙ，Ｋの混色で形成した画像に比べて、副吸収の少ないＧ，Ｋの混色画像のほうがより高い彩度を得ることができる。したがって本実施形態では黒近傍域において、図３に示すようにＧ，Ｋ混色を採用している。
【００５２】
図８は、Ｇ色相に関して、混色による色再現範囲をＬＣＨ表色系で示した図である。図８において破線は、ＧとＫの記録剤を混色した場合のＧの色再現範囲を示す。一点鎖線は、Ｃ，Ｙ，Ｋを混色した場合のＧの色再現範囲を示す。また実線は、Ｇ，Ｃ，Ｙ，Ｋを混色した場合のＧの色再現範囲を示す。
【００５３】
ここで図９は、Ｇ色相に関して、本実施形態においてより広い色再現範囲を得る基本色Ｃ，Ｙ、特色Ｇ、ブラックＫの組み合わせを、明度域ごとに示す図である。図９に示す本実施形態の組み合わせに従えば、Ｇ色相において、より広い色再現範囲が得られ、明度全体に亘って高彩度が得られる。すなわち、図８に示したＧ，Ｃ，Ｙ，Ｋを混色した場合の色再現範囲を実現することができる。
【００５４】
なお、本発明の本質は、色相および明度域ごとに、適切な記録剤の組み合わせにより色域を拡大することにある。つまり、図９に示す組み合わせは一例であり、色域または他の画質要素を向上するために、図９には示していない記録剤を使用する場合も、本発明の範疇に含まれる。
【００５５】
●色分解データに基づく色材利用
本実施形態ではＧ色相において、図９に示す記録剤の組み合わせを実現するために、図３で示した色分解データを用いる。以下、本実施形態における色分解データに基づく、具体的な色材の利用について説明する。
【００５６】
まず、白Ｗ（Ｒ，Ｇ，Ｂ）＝（２５５，２５５，２５５）からＧ（Ｒ，Ｇ，Ｂ）＝（０，２５５，０）までの高明度域（図３の５０１〜５０２）については、Ｇの記録剤のみを使用し、その使用量を変えて色再現する。従って、純色のＧ（Ｒ，Ｇ，Ｂ）＝（０，２５５，０）はＧの記録剤のみで色再現することになる。
【００５７】
次に、Ｇ（Ｒ，Ｇ，Ｂ）＝（０，２５５，０）からＫ（Ｒ，Ｇ，Ｂ）＝（０，０，０）の中間明度域については、まず第１の中間明度域（図３の５０２〜５０３）において、Ｇの隣接色であるＣ，Ｙの記録剤を加えることにより、明度を低下させて色再現する。そして、記録剤の総使用量が制限値に達すると、第２の中間明度域（図３の５０３〜５０４）において、Ｇの記録剤の使用量を減じて、Ｃ，Ｙの記録剤の使用量を増加させる。
【００５８】
さらに、Ｃ，Ｙの混色が最も色域で優位となる明度に達すると、低明度域（図３の５０４〜５０５）において、Ｃ，Ｙに代えてＫとともに再びＧを加えることによって、さらに明度を低下させて色再現する。
【００５９】
さらに、Ｇ，Ｋ混色による彩度が最高となり、すなわちＧ，Ｋの記録剤の総使用量が制限値に達すると、黒近傍域（図３の５０５〜５０６）において、Ｇの記録剤の使用量を減じて、Ｋの記録剤の使用量を増加することで、黒に達する。
【００６０】
このように本実施形態では、中間明度域および低明度域において、特色の隣接色である基本色２色（上記の例では特色Ｇの隣接色であるＣとＹ）を同時に使用し、黒近傍域においては特色とＫの混色を使用する。これにより図８および図９に示すように、色域を彩度および明度方向に拡大することができる。言い換えれば、高明度な特色の色材を使用する場合においても、該特色の色相の低明度域や黒近傍域についても、再現可能な色域を拡大することができる。
【００６１】
なお、以上はＧ色相における色域拡大の例を示したが、本実施形態は他の特色の色相に対しても同様に適用可能である。すなわち、特色とＫ色の記録剤の組み合わせが、隣接する色相を持つ２つの基本色と、Ｋ色（あるいは補色）の記録剤の組み合わせよりも低明度、高彩度の色を表現可能である場合には、上記の明度域ごとの記録剤の組み合わせを適用する。これにより、該特色の色相について色域を拡大することができる。
【００６２】
以上説明したように本実施形態によれば、少なくとも１つの特色を含む複数色の色材に対応する色分解データの生成を、以下のように行う。すなわち、特色の色相について、特色の色材による最大彩度部分より高明度域については、特色の色材を用いて色再現する。そして、特色の色材による最大彩度部分より明度が低く、基本色２色の色材の混色による彩度が最も有利となる明度よりも明度の高い中間明度域については、特色、基本色２色の色材の混色を用いて色再現する。さらに低明度域については、特色、基本色２色、およびＫの混色を用いて色再現する。そして最も明度の低い黒近傍域については、特色とＫの色材の混色を用いて色再現する。
【００６３】
このように本実施形態では、特色の色相の最大彩度部より低明度側について、特色の色材と、該特色の両側で最も近い色相を有する基本色２色の色材と、Ｋ色の色材と、にそれぞれ対応する色分解データを、各色材の分光特性を考慮して生成する。これにより、特色と、隣接する色相の基本色２色の色材と、Ｋ色の色材とを混色して特色の色相に調整することができ、全明度域において高い彩度をもつ色再現が可能になる。すなわち、本実施形態における色材の組み合わせを、特色の色相の最大彩度部より低明度域で用いることにより、再現可能な色域を彩度、明度方向に拡張することができる。
【００６４】
なお、基本色２色の色材を所定割合で混色して特色の色相に調整した場合、特色の色相を示すＬＣ平面で特に中間明度域において、特色とＫの色材の混色により表現可能な色域に対して、より高彩度側の点を表現することができる。一方、黒近傍域については、特色とＫの色材の混色は、基本色２色の色材の混色により表現可能な色域に対し、より高彩度側の点を表現することができる。つまり、特色の色相において、色相が隣接する２色の混色と、特色とＫの混色とを適切に選択することにより、より高い色域の拡大効果を得ることができる。
【００６５】
さらに、基本色、特色、Ｋ色の色材の少なくとも１つについて、同色相で濃度が異なる２つ以上の色材を用意し、それらに対応する色分解データを生成することも好適である。こうすれば、基本色、特色、またはＫ色の色材について濃淡分解を行うことができ、より粒状感を低減することができる。
【００６６】
また、本実施形態では低明度域および黒近傍域においてＫ色の色材を用いる例を示したが、これに代えて特色の補色の色材を用いることも可能である。
【００６７】
＜他の実施形態＞
以上、実施形態例を詳述したが、本発明は例えば、システム、装置、方法、プログラム若しくは記憶媒体(記録媒体)等としての実施態様をとることが可能である。具体的には、複数の機器（例えば、ホストコンピュータ、インタフェース機器、撮像装置、webアプリケーション等）から構成されるシステムに適用しても良いし、また、一つの機器からなる装置に適用しても良い。
【００６８】
尚本発明は、前述した実施形態の機能を実現するソフトウェアのプログラムを、システムあるいは装置に直接あるいは遠隔から供給し、そのシステムあるいは装置のコンピュータが該供給されたプログラムコードを読み出して実行することによっても達成される。なお、この場合のプログラムとは、実施形態において図に示したフローチャートに対応したプログラムである。
【００６９】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【００７０】
その場合、プログラムの機能を有していれば、オブジェクトコード、インタプリタにより実行されるプログラム、OSに供給するスクリプトデータ等の形態であっても良い。
【００７１】
プログラムを供給するための記録媒体としては、以下に示す媒体がある。例えば、フロッピー（登録商標）ディスク、ハードディスク、光ディスク、光磁気ディスク、MO、CD-ROM、CD-R、CD-RW、磁気テープ、不揮発性のメモリカード、ROM、DVD(DVD-ROM，DVD-R)などである。
【００７２】
プログラムの供給方法としては、以下に示す方法も可能である。すなわち、クライアントコンピュータのブラウザからインターネットのホームページに接続し、そこから本発明のコンピュータプログラムそのもの(又は圧縮され自動インストール機能を含むファイル)をハードディスク等の記録媒体にダウンロードする。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるWWWサーバも、本発明に含まれるものである。
【００７３】
また、本発明のプログラムを暗号化してCD-ROM等の記憶媒体に格納してユーザに配布し、所定の条件をクリアしたユーザに対し、インターネットを介してホームページから暗号化を解く鍵情報をダウンロードさせることも可能である。すなわち該ユーザは、その鍵情報を使用することによって暗号化されたプログラムを実行し、コンピュータにインストールさせることができる。
【００７４】
また、コンピュータが、読み出したプログラムを実行することによって、前述した実施形態の機能が実現される。さらに、そのプログラムの指示に基づき、コンピュータ上で稼動しているOSなどが、実際の処理の一部または全部を行い、その処理によっても前述した実施形態の機能が実現され得る。
【００７５】
さらに、記録媒体から読み出されたプログラムが、コンピュータに挿入された機能拡張ボードやコンピュータに接続された機能拡張ユニットに備わるメモリに書き込まれた後、実行されることによっても、前述した実施形態の機能が実現される。すなわち、該プログラムの指示に基づき、その機能拡張ボードや機能拡張ユニットに備わるCPUなどが実際の処理の一部または全部を行うことが可能である。
【図面の簡単な説明】
【００７６】
【図１】第１実施形態におけるプリントシステムの構成例を示すブロック図である。
【図２】第１実施形態の色分解処理において使用される３ＤＬＵＴの概念を示す図である。
【図３】第１実施形態におけるＧ，Ｃ，Ｙ，Ｋの各記録剤の使用量を示す図である。
【図４】第１実施形態におけるＧ，Ｃ，Ｙ各単色画像の分光反射率特性を示す図である。
【図５】第１実施形態における等色関数を示す図である。
【図６】第１実施形態の中間明度域におけるＧ，Ｋ混色画像およびＣ，Ｙ混色画像の分光反射率特性を示す図である。
【図７】第１実施形態の黒近傍域におけるＧ，Ｋ混色画像およびＣ，Ｙ混色画像の分光反射率特性を示す図である。
【図８】第１実施形態におけるＧ色相について、混色による色再現範囲をＬＣＨ表色系で示す図である。
【図９】第１実施形態におけるＧ色相について、より広い色再現範囲を得る基本色、特色、黒色の組み合わせを明度域ごとに示す図である。
【図１】
2008172628.tif 000003
【図２】
2008172628.tif 000004
【図３】
2008172628.tif 000005
【図４】
2008172628.tif 000006
【図５】
2008172628.tif 000007
【図６】
2008172628.tif 000008
【図７】
2008172628.tif 000009
【図８】
2008172628.tif 000010
【図９】
2008172628.tif 000011